(57)【要約】【課題】リボンカセットの長寿命化を実現できること。【解決手段】インクを吸収して貯溜するインク貯溜体６１がカセット本体５３に配置され、このカセット本体に収納されるインクリボン３１へインク貯溜体からウィック体６２を経てインクが供給可能に構成された記録装置のリボンカセット５１において、インク貯溜体がカセット本体に着脱自在に配設されたインクタンク６３内に収容されて構成されたものである。【選択図】　　　図４
2004074739.tif 000002
【特許請求の範囲】
【請求項１】
インクを吸収して貯溜するインク貯溜体がカッセット本体に配置され、このカセット本体に収納されるインクリボンへ上記インク貯溜体からウィック体を経てインクが供給可能に構成された記録装置のリボンカセットにおいて、
上記インク貯溜体が、上記カセット本体に着脱自在に配設されたインクタンク内に収容されて構成されたことを特徴とする記録装置のリボンカセット。
【請求項２】
上記ウィック体が、インク貯溜体と共にインクタンクに一体化されたことを特徴とする請求項１に記載の記録装置のリボンカセット。
【請求項３】
上記インクタンクは、カセット本体にカバーが装着された状態で、当該カセット本体の外部に臨む位置に着脱自在に配設されたことを特徴とする請求項１または２に記載の記録装置のリボンカセット。
【請求項４】
上記インクタンクには、カセット本体に装着された状態で外部に臨む側に、インク貯溜体にインクを充填するための充填穴が設けられたことを特徴とする請求項１乃至３のいずれかに記載の記録装置のリボンカセット。
【請求項５】
上記リボンカセットが、記録装置本体に装着されるステーショナリータイプであることを特徴とする請求項１乃至４のいずれかに記載の記録装置のリボンカセット。
【請求項６】
上記リボンカセットが、記録ヘッドを搭載するキャリッジに装着されるオンキャリッジタイプであることを特徴とする請求項１乃至４のいずれかに記載の記録装置のリボンカセット。
【請求項７】
記録ヘッドが、インクリボンのインクをシートに付着して当該シートに画像を記録し、
上記インクリボンをカセット本体に収納するリボンカセットは、インクを吸収して貯溜するインク貯溜体が上記カセット本体に配置され、上記インクリボンへ上記インク貯溜体からウィック体を経てインクを供給するよう構成された記録装置において、
上記インク貯溜体が、上記カセット本体に着脱自在に配設されたインクタンク内に収容されて構成されたことを特徴とする記録装置。
【請求項８】
上記リボンカセットにおけるウィック体が、インク貯溜体と共にインクタンクに一体化されたことを特徴とする請求項７に記載の記録装置。
【請求項９】
上記リボンカセットにおけるインクタンクは、カセット本体にカバーが装着された状態で、当該カセット本体の外部に臨む位置に着脱自在に配設されたことを特徴とする請求項７または８に記載の記録装置。
【請求項１０】
上記リボンカセットにおけるインクタンクには、カセット本体に装着された状態で外部に臨む側に、インク貯溜体にインクを充填するための充填穴が設けられたことを特徴とする請求項７乃至９のいずれかに記載の記録装置。
【請求項１１】
上記リボンカセットが、記録装置本体に装着されるステーショナリータイプであることを特徴とする請求項７乃至１０のいずれかに記載の記録装置。
【請求項１２】
上記リボンカセットが、記録ヘッドを搭載するキャリッジに装着されるオンキャリッジタイプであることを特徴とする請求項７乃至１０のいずれかに記載の記録装置。
【発明の詳細な説明】
【０００１】
【発明の属する技術分野】
本発明は、記録ヘッドの記録ワイヤを突出させてインクリボンのインクをシートに付着することにより、当該シートに画像を記録する記録装置のリボンカセット、及びこのリボンカセットを備えた記録装置に関する。
【０００２】
【従来の技術】
記録装置には、記録ヘッドをプラテンの軸方向に走行させる間に、この記録ヘッドにおける多数の記録ワイヤをインクリボンを介して、上記プラテンの前方周面に位置するシートに打ち付け、このシートに記録書込を実施するドットインパクトプリンタがある。
【０００３】
上記インクリボンは無端状態に形成されており、リボンカセット内に折り畳まれて収納されている。このインクリボンは、リボンカセット内に引き込まれ、且つ、このリボンカセット内から繰り出されて、記録ワイヤの突出方向前方に循環して搬送される。
【０００４】
このようなリボンカセットには、特開平３−５１１７１号及び実開昭６３−１９８５５８号公報に記載の如く、インクを含浸したインク貯溜体をカセット本体内に備え、このインク貯溜体内のインクを、カセット本体に収納されるインクリボンへ供給する再インク機構を有するものがある。
【０００５】
【発明が解決しようとする課題】
ところが、上述のリボンカセットにおける再インク機構では、インク貯溜体にインクがなくなった時点で、インクリボンのリボン基布の寿命に余裕がある場合であっても、リボンカセットは寿命を迎えることになり、インクリボンを有効に利用しているとは言えない。
【０００６】
また、このインクリボンの有効利用を図ってリボンカセットの長寿命化を実現すべく、インク貯溜体をインクが貯溜されたものに交換することも考えられる。しかし、この場合には、リボンカセットを分解しなければならないので、交換が非常に困難であり、しかも、作業者（プリンタユーザ）の手を汚すことになってしまう。
【０００７】
本発明の目的は、上述の事情を考慮してなされたものであり、リボンカセットの長寿命化を実現できる記録装置のリボンカセット、及び記録装置を提供することにある。
【０００８】
【課題を解決するための手段】
請求項１に記載の発明は、インクを吸収して貯溜するインク貯溜体がカッセット本体に配置され、このカセット本体に収納されるインクリボンへ上記インク貯溜体からウィック体を経てインクが供給可能に構成された記録装置のリボンカセットにおいて、上記インク貯溜体が、上記カセット本体に着脱自在に配設されたインクタンク内に収容されて構成されたことを特徴とするものである。
【０００９】
請求項２に記載の発明は、請求項１に記載の発明において、上記ウィック体が、インク貯溜体と共にインクタンクに一体化されたことを特徴とするものである。
【００１０】
請求項３に記載の発明は、請求項１または２に記載の発明において、上記インクタンクは、カセット本体にカバーが装着された状態で、当該カセット本体の外部に臨む位置に着脱自在に配設されたことを特徴とするものである。
【００１１】
請求項４に記載の発明は、請求項１乃至３のいずれかに記載の発明において、上記インクタンクには、カセット本体に装着された状態で外部に臨む側に、インク貯溜体にインクを充填するための充填穴が設けられたことを特徴とするものである。
【００１２】
請求項５に記載の発明は、請求項１乃至４のいずれかに記載の発明において、上記リボンカセットが、記録装置本体に装着されるステーショナリータイプであることを特徴とするものである。
【００１３】
請求項６に記載の発明は、請求項１乃至４のいずれかに記載の発明において、上記リボンカセットが、記録ヘッドを搭載するキャリッジに装着されるオンキャリッジタイプであることを特徴とするものである。
【００１４】
請求項７に記載の発明は、記録ヘッドが、インクリボンのインクをシートに付着して当該シートに画像を記録し、上記インクリボンをカセット本体に収納するリボンカセットは、インクを吸収して貯溜するインク貯溜体が上記カセット本体に配置され、上記インクリボンへ上記インク貯溜体からウィック体を経てインクを供給するよう構成された記録装置において、上記インク貯溜体が、上記カセット本体に着脱自在に配設されたインクタンク内に収容されて構成されたことを特徴とするものである。
【００１５】
請求項８に記載の発明は、請求項７に記載の発明において、上記リボンカセットにおけるウィック体が、インク貯溜体と共にインクタンクに一体化されたことを特徴とするものである。
【００１６】
請求項９に記載の発明は、請求項７または８に記載の発明において、上記リボンカセットにおけるインクタンクは、カセット本体にカバーが装着された状態で、当該カセット本体の外部に臨む位置に着脱自在に配設されたことを特徴とするものである。
【００１７】
請求項１０に記載の発明は、請求項７乃至９のいずれかに記載の発明において、上記リボンカセットにおけるインクタンクには、カセット本体に装着された状態で外部に臨む側に、インク貯溜体にインクを充填するための充填穴が設けられたことを特徴とするものである。
【００１８】
請求項１１に記載の発明は、請求項７乃至１０のいずれかに記載の発明において、上記リボンカセットが、記録装置本体に装着されるステーショナリータイプであることを特徴とするものである。
【００１９】
請求項１２に記載の発明は、請求項７乃至１０のいずれかに記載の発明において、上記リボンカセットが、記録ヘッドを搭載するキャリッジに装着されるオンキャリッジタイプであることを特徴とするものである。
【００２０】
【発明の実施の形態】
以下、本発明の実施の形態を、図面に基づき説明する。
【００２１】
図１は、本発明に係る記録装置の一実施の形態が適用されたドットインパクトプリンタのプリンタ本体を示す斜視図である。図２は、図１のプリンタ本体を示す側断面図である。
【００２２】
これらの図に示す記録装置としてのプリンタ１０は、記録ヘッド１８の多数の記録ワイヤ（不図示）を、インクリボン３１を介してシートＳに打ち付けてドットを記録することにより、文字を含む画像を記録するドットインパクトプリンタである。ここで、シートＳは、単票紙や連続紙などの普通紙の他に、通帳や葉書、封筒などである。特に、上記単票紙は単票複写紙を含み、連続紙は連続複写紙を含む。
【００２３】
上記プリンタ１０は、図１に示すように、記録装置本体としてのプリンタ本体１１と、このプリンタ本体１１に着脱自在に装着されたプッシュトラクタユニット１２及び排出ユニット１３と、同じくプリンタ本体１１に着脱自在に装着されたシート供給ガイド３４（図２）と、プリンタ本体１１の上方、下方をそれぞれ覆う図示しないアッパーケース及びロアケースと、を有して構成される。
【００２４】
上記プリンタ本体１１は、本体フレームとしてのベースフレーム１４、シート案内フレーム１５（図２）、左サイドフレーム１６及び右サイドフレーム１７と、記録ヘッド１８及びキャリッジ１９を備えた印刷機構部２０と、プラテン２１、シート案内２２及びピンチローラ２５（図２）を備えたシート搬送機構部２３と、を有して構成される。
【００２５】
ベースフレーム１４及びシート案内フレーム１５は、図２に示すようにほぼ平行配置され、これらのベースフレーム１４及びシート案内フレーム１５の両端に上記左サイドフレーム１６、右サイドフレーム１７がそれぞれ立設して固定される。これらの左サイドフレーム１６と右サイドフレーム１７間に、図１に示すように、キャリッジガイド軸２４が架け渡されて回動可能に枢支され、プラテン２１が架け渡されて回転自在に配設されている。シート案内２２は、左サイドフレーム１６と右サイドフレーム１７との間に配設されて、シート案内フレーム１５に嵌合して固定されている。また、左サイドフレーム１６及び右サイドフレーム１７の後方部、上方部それぞれには、前記プッシュトラクタユニット１２、排出ユニット１３をそれぞれ装着可能な図示しないトラクタユニット装着部、排出ユニット装着部が設けられている。
【００２６】
図１に示すプッシュトラクタユニット１２は、シートＳとしての連続紙をシート搬送機構部２３へ送り出し、シート供給ガイド３４は、シートＳとしての単票紙を１枚ずつ（連続単票紙の場合には１綴りずつ）シート搬送機構部２３へ供給する。また、排出ユニット１３は、連続紙または単票紙をシート搬送機構部２３からプリンタ１０外へ引き出すものである。
【００２７】
つまり、図２に示すように、プッシュトラクタユニット１２のトラクタベルト２６の回転により、このトラクタベルト２６のピン２７の作用で、連続紙は、シート搬送機構部２３のシート案内２２に案内され、このシート案内２２とプラテン２１との間に形成されるシート搬送経路２８を経てプラテン２１の前方へ向かい、矢印α方向に送給される。このプッシュトラクタユニット１２の非動作時に、シート供給ガイド３４から単票紙が１枚ずつ（または１綴りずつ）、シート搬送経路２８を経てプラテン２１の前方へ供給可能とされる。また、排出ユニット１３の排出ローラ２９の回転により、後述のごとく、記録ヘッド１８により文字等が記録された連続紙または単票紙は、シート搬送機構部２３のプラテン２１から矢印β方向に引き出される。これにより、連続紙または単票紙は、キャリッジ１９の後述の主走査方向に直交する副走査方向に搬送される。
【００２８】
図１に示す前記キャリッジ１９は、キャリッジガイド軸２４に摺動自在に挿通されると共に、記録ヘッド１８を搭載する。キャリッジガイド軸２４がプラテン２１と平行に配置されることから、キャリッジ１９は、これらのプラテン２１及びキャリッジガイド軸２４の軸方向と一致する主走査方向に移動（走行）可能に設けられる。
【００２９】
図示しないキャリッジ駆動モータの正転または逆転により、キャリッジ１９は、タイミングベルト３０（図２）を介しキャリッジガイド軸２４に案内されて、主走査方向における図１の左向きまたは右向きに走行される。
【００３０】
前記記録ヘッド１８は多数の記録ワイヤを備え、これらの記録ワイヤの突出方向前方にインクリボン３１が位置する。記録ヘッド１８はキャリッジ１９と共に主走査方向に走行する間に、記録ワイヤを突出動作させてインクリボン３１に打ち当て、インクリボン３１のインクを、プラテン２１とインクリボン３１との間に搬送されるシートＳ（連続紙または単票紙）に付着させて、このシートＳに文字を含む画像を記録する。
【００３１】
記録ヘッド１８によるこの記録動作は、キャリッジ１９が主走査方向左向きまたは右向きに走行する間に、記録ヘッド１８の記録ワイヤにより一行分の記録がなされ、この一行分の記録がなされる度に、シートＳが連続紙の場合には、図２に示すシート搬送機構部２３のプラテン２１、プッシュトラクタユニット１２及び排出ユニット１３が、また、シートＳが単票紙の場合には、シート搬送機構部２３のプラテン２１、ピンチローラ２５及び排出ユニット１３がそれぞれシートＳを所定量（通常行間分）搬送させ、これらの動作が繰り返されることにより実施される。
【００３２】
尚、図２に示す符号３２は、ベースフレーム１４とシート案内フレーム１５との間に開口して形成されて、プリンタ１０の下方からシート搬送機構部２３内へシートＳを供給するためのボトムシート供給口である。
【００３３】
ところで、図２に示すインクリボン３１は、図１及び図３に示すリボンカセット３８内に収納される。このリボンカセット３８は、左サイドフレーム１６と右サイドフレーム１７との間に、ベースフレーム１４に対向して着脱自在に装着されたもの（ステーショナリータイプ）である。
【００３４】
上記インクリボン３１は、無端形状に形成されてリボンカセット５１内に収納される。このリボンカセット５１は、カセット本体５３と、このカセット本体５３の開口を閉塞すべく、このカセット本体５３に装着されるカバー５４とを有してなる。
【００３５】
カセット本体５３は、インクリボン３１を折り畳んで収納するリボン収納部５５と、このリボン収納部５５から延設された引込みアーム部５６及び繰出しアーム部５７とを備えてなる。引込みアーム部５６は、インクリボン３１をリボン収納部５５内へ引き込む際のガイドとなり、また、繰出しアーム部５７は、インクリボン３１をリボン収納部５５内から繰り出す際のガイドとなる。
【００３６】
インクリボン３１は、これら引込みアーム部５６と繰出しアーム部５７との両先端部間で外部に露出し、この露出した部分に記録ヘッド１８の記録ワイヤが打ち当てられて、この部分のインクがシートに付着される。
【００３７】
キャリッジ１９の走行と共に実施される上記記録ヘッド１８による記録動作中に、リボンカセット５１において、引込みアーム部５６と繰出しアーム部５７との両先端部間へインクリボン３１を循環して搬送させるものが、一対の第１巻取ローラ５８及び第２巻取ローラ５９である。これらの第１巻取ローラ５８及び第２巻取ローラ５９は、カセット本体５３における一端側に配置される。これら第１巻取ローラ５８及び第２巻取ローラ５９は互いに圧接可能に設置され、これらの第１巻取ローラ５８と第２巻取ローラ５９によりインクリボン３１が挟持される。
【００３８】
第１巻取ローラ５８と第２巻取ローラ５９のいずれか一方、本実施の形態では、第１巻取ローラ５８が、キャリッジ１９に連動して回転するリボン駆動軸５０により駆動されて、第１巻取ローラ５８及び第２巻取ローラ５９が互いに反対方向に回転する。これにより、第１巻取ローラ５８及び第２巻取ローラ５９に挟持されたインクリボン３１が、引込みアーム部５６に案内されて引き込まれ、リボン収納部５５内で折り畳まれて収納されると共に、このリボン収納部５５内に収納されたインクリボン３１が繰出しアーム部５７に案内されて繰り出される。これにより、キャリッジ１９の走行時に、リボンカセット５１の引込みアーム部５６と繰出しアーム部５７との両先端部間でインクリボン３１が、その長尺方向に搬送される。
【００３９】
さて、リボンカセット５１には、図４及び図５に示すように、インク貯溜体６１及びウィック体６２を備えてなる再インク機構６０が設置されている。上記インク貯溜体６１は、インクリボン３１に含浸されたと同種のインクを吸収して貯溜し保持する。また、上記ウィック体６２は、インク貯溜体６１及び第１巻取ローラ５８に接触し、このインク貯溜体６１に貯溜されたインクを吸収して保持し、第１巻取ローラ５８へ導く。
【００４０】
上記インク貯溜体６１及びウィック体６２はインクタンク６３に一体化される。つまり、インクタンク６３は、タンクケース６４の開口をタンクカバー６５が閉塞して構成され、このタンクケース６４内にインク貯溜体６１が収容される。また、ウィック体６２はタンクケース６４の切欠き部６６内に挿通されて、このタンクケース６４に保持される。一方、カセット本体５３には、このカセット本体５３の開口を覆うべく、このカセット本体５３にカバー５４が装着された図３の状態で、外部に臨む位置にタンク収納凹部６７が形成されている。このタンク収納凹部６７内に、インク貯溜体６１及びウィック体６２を一体化したインクタンク６３が着脱自在に配設される。
【００４１】
なお、インクタンク６３のタンクケース６４には、カセット本体５３におけるタンク収納凹部６７への配設状態で外側に面する側面に、脱着用の摘み部６８が外方へ突設されている。
【００４２】
再インク機構部６０におけるウィック体６２が接触する第１巻取ローラ５８の表面は、インクを吸収しないゴム系の材質、または、プラスチック系材質にて構成される。従って、ウィック体６２から導かれたインク貯溜体６１内のインクは、第１巻取ローラ５８に染み込まず、この表面に付着する。そして、この第１巻取ローラ５８に付着したインクは、インクリボン３１が第１巻取ローラ５８と第２巻取ローラ５９間に挟持されて通過する間に、このインクリボン３１にムラなく均一に転写されて供給（補給）される。
【００４３】
インクリボン３１のインク基布へインク貯溜体６１から、ウィック体６２及び第１巻取ローラ５８を経てインクが補給されることにより、インクリボン３１が再使用可能となって、インクリボン３１を含むリボンカセット５１の長寿命化を実現できる。
【００４４】
更に、インク貯溜体６１に貯溜されたインクがなくなり、インクリボン３１のリボン基布の寿命に余裕がある場合には、このインク貯溜体６１及びウィック体６２を一体化したインクタンク６３をリボンカセット５１から取り外し、インクが貯溜されたインク貯溜体６１を収容するインクタンク６３に交換することによって、この新たなインクタンク６３のインク貯溜体６１からインクリボン３１のリボン基布へインクを再度補給できる。この結果、インクリボン３１を含むリボンカセット５１のより一層の長寿命化を実現できると共に、寿命のあるリボン基布を有効に利用できる。
【００４５】
また、インク貯溜体６１及びウィック体６２を一体化したインクタンク６３は、カセット本体５３にカバー５４が装着された状態で当該カセット本体５３の外部に臨む位置のタンク収納凹部６７に着脱自在に配設される。このため、カバー５４をカセット本体５３から外してリボンカセット５１を分解することなく、インク貯溜体６１を収容したインクタンク６３を容易に交換でき、しかも、プリンタ１０のユーザの手を汚すことも回避できる。
【００４６】
図６は、インク貯溜体６１及びウィック体６２を一体化したインクタンクの変形例を示す斜視図である。この変形例において、前記実施の形態と同様な部分は、同一の符号を付すことにより説明を省略する。
【００４７】
図６に示すように、この変形例のインクタンク７０は、内部に収容したインク貯溜体６１へインクを追加して充填するための充填穴７２が設けられたものである。この充填穴７２は、インクタンク７０において、このインクタンク７０がカセット本体５３のタンク収納凹部６７に装着された状態で外部に臨む一側面７１に形成される。この充填穴７２からインク貯溜体６１へインクを充填することによって、インク貯溜体６１にインクを再び貯溜させることができるので、インクが貯溜されたインク貯溜体６１を収容する新たなインクタンク６３と交換する必要がなく、インクリボン３１を含むリボンカセット５１の長寿命化を実現できる。
【００４８】
また、上記充填穴７２は、放射状に切り込み７４が形成された可撓性（例えばゴム製）のキャップ７３により閉塞される。インク充填時には、このキャップ７３を撓み変形させて開口を形成するが、充填終了時には、キャップ７３の撓みが復元されて充填穴７２を閉塞するので、インク貯溜体６１からのインクの蒸発を防止できる。
【００４９】
図７は、リボンカセットの他の実施の形態を示し、カバーを外したカセット本体の正面図である。この図７において、前記実施の形態と同様な部分は、同一の符号を付すことにより説明を省略する。
【００５０】
この図７に示すリボンカセット７５は、記録ヘッド１８を搭載したキャリッジ１９に装着されるオンキャリッジタイプのリボンカセットである。このリボンカセット７５においても、インクリボン３１は、引込みアーム部５６を経て、第１巻取ローラ５８及び第２巻取ローラ５９に挟持されて引き込まれ、リボン収納部５５に収納されると共に、このリボン収納部５５から繰出しアーム部５７を経て、両アーム部５６と５７間に繰り出される。この引き込みアーム部５６と繰出しアーム部５７間に位置付けられたインクリボン３１に記録ヘッド１８の記録ワイヤが衝突して、このインクリボン３１のインクをシートに付着させる。
【００５１】
このリボンカセット７５では、カセット本体５３における第２巻取ローラ５９近傍の、外部に臨む位置にタンク収納部６７が形成され、このタンク収納部６７内にインクタンク６３が着脱自在に配設される。この場合、第２巻取ローラ５９の表面がインクを吸収しないゴム系材質、または、プラスチック系材質にて構成され、インクタンク６３のウィック体６２が上記第２巻取ローラ５９に接触する。
【００５２】
これにより、インクタンク６３のインク貯溜体６１に貯溜されたインクがウィック体６２を経て第２巻取ローラ５９に転写され、この第２巻取ローラ５９を経てインクリボン３１へ補給される。
【００５３】
更に、このインクタンク６３のインク貯溜体６１にインクがなくなったときには、インクが貯溜されたインク貯溜体６１を備えるインクタンク６３と交換することによって、寿命に余裕のあるリボン基布を有効に利用でき、インクリボン３１を含むリボンカセット７５を長寿命化できる。
【００５４】
更に、インク貯溜体６１を収容したインクタンク６３をタンク収納凹部６７に設置することで、リボンカセット７５を分解することなく交換できるので、その交換を容易に実施できると共に、プリンタ１０のユーザの手を汚すことがない。
【００５５】
以上、本発明を上記実施の形態に基づいて説明したが、本発明はこれに限定されるものではない。
【００５６】
【発明の効果】
請求項１乃至６に記載の発明に係る記録装置のリボンカセットによれば、リボンカセットの長寿命化を実現できる。
【００５７】
請求項７乃至１２に記載の発明に係る記録装置によれば、リボンカセットの長寿命化を実現できる。
【図面の簡単な説明】
【図１】本発明に係る記録装置の一実施の形態が適用されたドットインパクトプリンタのプリンタ本体を示す斜視図である。
【図２】図１のプリンタ本体を示す側断面図である。
【図３】図１及び図２のリボンカセットを示す斜視図である。
【図４】図３のリボンカセットの内部構造を示す斜視図である。
【図５】図４のインクタンクを示す分解斜視図である。
【図６】図５のインクタンクの変形例を示す分解斜視図である。
【図７】リボンカセットの他の実施の形態における内部構造を示す正面図である。
【符号の説明】
１０　プリンタ（記録装置）
１１　プリンタ本体（記録装置本体）
１８　記録ヘッド
１９　キャリッジ
３１　インクリボン
５１　リボンカセット
５３　カセット本体
５５　リボン収納部
６０　再インク機構
６１　インク貯溜体
６２　ウィック体
６３　インクタンク
６７　タンク収納部
７０　インクタンク
７２　充填穴
７３　キャップ
７５　リボンカセット
【図１】
2004074739.tif 000003
【図２】
2004074739.tif 000004
【図３】
2004074739.tif 000005
【図４】
2004074739.tif 000006
【図５】
2004074739.tif 000007
【図６】
2004074739.tif 000008
【図７】
2004074739.tif 000009